【手続補正書】
【提出日】平成17年11月14日(2005.11.14)
【手続補正１】
【補正対象書類名】明細書
【補正対象項目名】発明の名称
【補正方法】変更
【補正の内容】
【発明の名称】入来するＭＰＥＧ‐２ビットストリームをＳＭＰＴＥ‐２５９と互換性のあるビットストリームに変換する方法および装置、並びにＭＰＥＧ‐２と互換性のある入来ビットストリームをＳＭＰＴＥ‐２５９と互換性のあるビットストリームに変換する方法
【手続補正２】
【補正対象書類名】明細書
【補正対象項目名】特許請求の範囲
【補正方法】変更
【補正の内容】
【特許請求の範囲】
【請求項１】  入来するＭＰＥＧ‐２ビットストリームをＳＭＰＴＥ‐２５９と互換性のあるビットストリームに変換する方法であって、
ａ．前記入来するＭＰＥＧ‐２ビットストリームのビット・レートを確定するステップと、
ｂ．前記入来するＭＰＥＧ‐２ビットストリームを復号化するステップと、
ｃ．前記復号化された入来ＭＰＥＧ‐２ビットストリームを、オールＩフレーム・ビットストリームとして再符号化するステップと、
ｄ．前記オールＩフレーム・ビットストリームの再符号化された１００１番目のＩフレームを、選択的に捨てるステップと、
ｅ．前記オールＩフレーム・ビットストリームの再符号化された１００１番目のＩフレームから、画像情報を選択的に捨てるステップと、
ｆ．再符号化され、且つ捨てられないＩフレームを、ＳＭＰＴＥ‐２５９ビットストリームとして符号化するステップと、
から成る、前記入来するＭＰＥＧ‐２ビットストリームを、ＳＭＰＴＥ‐２５９と互換性のあるビットストリームに変換する方法。
【請求項２】  前記入来するビット・レートが、２９．９７Ｈｚまたは５９．９４Ｈｚ以外のものであり、且つ前記入来するＭＰＥＧ‐２ビットストリームの１００１番目のフレームが、ＩフレームまたはＰフレームであるとき、前記再符号化された１００１番目のＩフレームが捨てられると共に、前記入来するビット・レートが、２９．９７Ｈｚまたは５９．９４Ｈｚ以外のものであり、且つ前記入来するＭＰＥＧ‐２ビットストリームの第１００１番目のフレームがＢフレームであるとき、前記再符号化された１００１番目のＩフレームが捨てられる、請求項１記載の入来するＭＰＥＧ‐２ビットストリームを、ＳＭＰＴＥ‐２５９と互換性のあるビットストリームに変換する方法。
【請求項３】  前記ＭＰＥＧ‐２ビットストリームを復号化するステップに、前記入来するＭＰＥＧ‐２ビットストリームのＤＣＴ係数と動きベクトルを確定することが含まれ、前記復号化された入来ＭＰＥＧ‐２ビットストリームをオールＩフレームとして再符号化するステップに、ＤＣＴ係数の計算、量子化およびビットストリームの可変長符号化が含まれる、請求項２記載の入来するＭＰＥＧ‐２ビットストリームを、ＳＭＰＴＥ‐２５９と互換性のあるビットストリームに変換する方法。
【請求項４】  前記ＳＭＰＴＥ‐２５９符号化に先立ち、再符号化され、且つ捨てられないＩフレームを新クォント・スケールで多重するステップを含む、請求項１記載の入来するＭＰＥＧ‐２ビットストリームを、ＳＭＰＴＥ‐２５９と互換性のあるビットストリームに変換する方法。
【請求項５】  ＭＰＥＧ‐２と互換性のある入来ビットストリームをＳＭＰＴＥ‐２５９と互換性のあるビットストリームに変換する方法であって、
ａ．前記ＭＰＥＧ‐２と互換性のある入来ビットストリームから、ＭＰＥＧ‐２データを抽出するステップと、
ｂ．前記抽出されたＭＰＥＧ‐２データから、ビデオ・パラメータを抽出するステップと、
ｃ．前記抽出されたＭＰＥＧ‐２データから、符号化パラメータを抽出するステップと、
ｄ．前記抽出されたＭＰＥＧ‐２データから、符号化された可変長データを復号化するステップと、
ｅ．前記符号化された可変長データから、画素情報を発生するステップと、
ｆ．前記発生された画素情報を、オールＩフレーム形式に符号化するステップと、
ｇ．前記符号化された１００１番目毎のＩフレームを選択的に捨てるステップと、
ｈ．前記符号化されたＩフレームを、ＳＭＰＴＥ‐２５９と互換性のあるビットストリームに符号化するステップと、
から成る、前記ＭＰＥＧ‐２と互換性のある入来ビットストリームをＳＭＰＴＥ‐２５９と互換性のあるビットストリームに変換する方法。
【請求項６】  前記抽出されたビデオ・パラメータにフレーム周波数が含まれ、前記抽出された符号化パラメータに入力クォント・スケールと入力ビット・レートが含まれ、前記復号化された可変長符号化されたデータに動きベクトルとＤＣＴ係数が含まれる、請求項５記載のＭＰＥＧ‐２と互換性のある入来ビットストリームをＳＭＰＴＥ‐２５９と互換性のあるビットストリームに変換する方法。
【請求項７】  前記抽出された符号化パラメータに入力ビット・レートが含まれ、前記入来ビット・レートが、２９．９７Ｈｚまたは５９．９４Ｈｚ以外で、且つ前記入来ＭＰＥＧ‐２ビットストリームの１００１番目のフレームが、ＩフレームまたはＰフレームのとき、前記１００１番目の符号化されたＩフレームが除去されると共に、前記入力ビット・レートが、２９．９７Ｈｚまたは５９．９４Ｈｚ以外で、且つ前記入来ＭＰＥＧ‐２ビットストリームの１００１番目のフレームが、Ｂフレームのとき、１００１番目の符号化されたＩフレームの画素情報が捨てられる、請求項５記載のＭＰＥＧ‐２と互換性のある入来ビットストリームをＳＭＰＴＥ‐２５９と互換性のあるビットストリームに変換する方法。
【請求項８】  前記ＳＭＰＴＥ‐２５９と互換性のあるビットストリームの符号化に先立ち、符号化され且つ捨てられたＩフレームを新クォント・スケールで多重するステップを含む、請求項７記載のＭＰＥＧ‐２と互換性のある入来ビットストリームをＳＭＰＴＥ‐２５９と互換性のあるビットストリームに変換する方法。
【請求項９】  入来するＭＰＥＧ‐２ビットストリームをＳＭＰＴＥ‐２５９と互換性のあるビットストリームに変換する装置であって、
前記入来するＭＰＥＧ‐２ビットストリームのビット・レートを確定するＭＰＥＧ‐２ヘッダ・デコーダと、
前記入来するＭＰＥＧ‐２ビットストリームを、復号化して復号化されたビットストリームにするＭＰＥＧ‐２ヘッダ・デコーダと通じる可変長デコーダと、
前記ＭＰＥＧ‐２ヘッダ・デコータおよび前記可変長デコーダと通じ、前記復号化されたビットストリームを符号化して、符号化されたオールＩフレーム・ビットストリームにするトランスコーダと、
前記ヘッダ・エンコーダ、前記可変長デコーダおよび前記トランスコーダと通じ、指定された数の符号化されたＩフレームの１つ、または指定された数の符号化されたＩフレームのうち１フレーム、または指定された数の符号化されたＩフレームのうち１フレームの画素情報を捨てるために選択的にイネーブルでき、結果として生じるビットストリームを形成するフレーム・ドロッパーと、
前記生じるビットストリームを、ＳＭＰＴＥ‐２５９と互換性のあるビットストリームに符号化するトランスコーダと通じるＳＭＰＴＥ‐２５９エンコーダと、
から成る、前記入来するＭＰＥＧ‐２ビットストリームをＳＭＰＴＥ‐２５９と互換性のあるビットストリームに変換する装置。
【請求項１０】  前記入来するＭＰＥＧ‐２データのビット・レートが、２９．９７Ｈｚまたは５９．９４Ｈｚでないとき前記フレーム・ドロッパーがイネーブルされ、前記フレーム・ドロッパーがイネーブルされると、指定の数が１００１となり、前記入来するＭＰＥＧ‐２ビットストリームの１００１番目毎のフレームが、ＩフレームかまたはＰフレームであるとき、結果として生じる１００１番目毎のＩフレームは捨てられ、前記入来するＭＰＥＧ‐２ビットストリームの１００１番目毎のフレームが、Ｂフレームであるとき、結果として生じる１００１番目毎のＩフレームの画素情報が捨てられる、請求項９記載の入来するＭＰＥＧ‐２ビットストリームをＳＭＰＴＥ‐２５９と互換性のあるビットストリームに変換する装置。
【請求項１１】  前記トランスコーダおよび前記ＳＭＰＴＥ‐２５９エンコーダと通じ、生じるビットストリームを新クォント・スケールで多重する、マルチプレクサを含む、請求項１０記載の入来するＭＰＥＧ‐２ビットストリームをＳＭＰＴＥ‐２５９と互換性のあるビットストリームに変換する装置。